(57)【特許請求の範囲】
【請求項１】
柄の下端に設けられたヘッドの底面に当該底面よりも大きな清掃シートが交換可能に取り付けられる清掃具において、
前記ヘッドの上面に設けられ、開状態では前記ヘッドから側方に広がり、閉状態では前記ヘッドの上に折り畳まれる係止手段と、
前記係止手段を開閉させる操作手段とを備え、
前記係止手段は左右一対設けられており、
前記ヘッドが前記清掃シートの上に載せられた状態で前記操作手段によって前記係止手段が開状態から閉状態に動かされると、前記係止手段は前記清掃シートの前記ヘッドからのはみ出し部分を引っ掛けて前記ヘッド上に移動させて係止する
ことを特徴とする清掃具。
【請求項２】
前記係止手段は、前記ヘッドの上面に回動可能に取り付けられたアームと、前記アームに回動可能に取り付けられたフラップと、前記フラップの底面に設けられ、前記清掃シートを引っ掛ける引っ掛け部材と、を備えることを特徴とする請求項１記載の清掃具。
【請求項３】
前記操作手段は、前記係止手段を開く方向に操作する開方向操作手段と、前記係止手段を閉じる方向に操作する閉方向操作手段と、前記係止手段を閉状態に保持するロック手段と、を備えることを特徴とする請求項１又は２に記載の清掃具。
【発明の詳細な説明】
【技術分野】
【０００１】
本発明は、清掃シートが交換可能に装着されるヘッドを備える清掃具に関する。
【背景技術】
【０００２】
床の清掃に使用する道具として、柄の下端に設けられたヘッドの底面に使い捨ての清掃シートを交換可能に取り付けた清掃具がある（例えば、特許文献１）。図１６に、清掃シートが取り付けられるヘッドを示す。ヘッド１０１の上面の四隅にはシート保持部１０２が設けられている。各シート保持部１０２は弾力性を有する板材から構成されており、所定形状の切り込み１０３が設けられている。
【０００３】
この清掃具では、ヘッド１０１の底に清掃シート１０４を当てた後、清掃シート１０４のヘッド１０１からのはみ出し部分１０４ａをヘッド１０１の上に折り返してシート保持部１０２の切り込み１０３に押し込むことで、清掃シート１０４をヘッド１０１に取り付ける。また、清掃シート１０４のはみ出し部分１０４ａをシート保持部１０２の切り込み１０３から引き抜くことで、ヘッド１０１から清掃シート１０４を取り外している。
【先行技術文献】
【特許文献】
【０００４】
【特許文献１】特開２０１０−２９２４５号公報
【発明の概要】
【発明が解決しようとする課題】
【０００５】
しかしながら、上記の清掃具では、４箇所のシート保持部１０２に対し、１箇所ずつ手作業で清掃シート１０４のはみ出し部分１０４ａを押し込んだり引き抜いたりする必要があり、清掃シート１０４の交換作業が大変煩わしいものであった。しかも、清掃シート１０４やヘッド１０１を触りながらの交換作業になるので、交換作業が不衛生であった。
【０００６】
本発明は、かかる課題を解決するためになされたものであり、清掃シートの交換が容易であり、清掃シートに直接触れずに交換を行うことが可能な清掃具を提供することを目的とする。
【課題を解決するための手段】
【０００７】
上記目的を達成するため、本発明は、柄の下端に設けられたヘッドの底面に当該底面よりも大きな清掃シートが交換可能に取り付けられる清掃具であって、ヘッドの上面に設けられ、開状態ではヘッドから側方に広がり、閉状態ではヘッドの上に折り畳まれる係止手段と、係止手段を開閉させる操作手段とを備え、係止手段は左右一対設けられており、ヘッドが清掃シートの上に載せられた状態で操作手段によって係止手段が開状態から閉状態に動かされると、係止手段は清掃シートのヘッドからのはみ出し部分を引っ掛けてヘッド上に移動させて係止するものである。
【０００８】
したがって、床の上に広げた清掃シートの上に左右の係止手段を広げた状態のヘッドを載せると、左右の係止手段が清掃シートのヘッドからのはみ出し部分に引っ掛かる。この状態で操作手段を操作して左右の係止手段を閉じると、左右の係止手段が清掃シートのはみ出し部分をヘッド側に引き寄せ、更に、ヘッド上に移動させて係止する。これにより、清掃シートがヘッドに取り付けられる。
【０００９】
また、本発明の清掃具は、係止手段が、ヘッドの上面に回動可能に取り付けられたアームと、アームに回動可能に取り付けられたフラップと、フラップの底面に設けられ、清掃シートを引っ掛ける引っ掛け部材と、を備えるようにしても良い。
【００１０】
したがって、ヘッドに対してアームが回動し、アームに対してフラップが回動することで、係止手段が折り畳み可能になる。フラップの底面には清掃シートを引っ掛ける引っ掛け部材が設けられているので、清掃シートを引っ掛けた状態で係止手段を折り畳むことができる。
【００１１】
さらに、本発明の清掃具は、操作手段が、係止手段を開く方向に操作する開方向操作手段と、係止手段を閉じる方向に操作する閉方向操作手段と、係止手段を閉状態に保持するロック手段と、を備えるようにしても良い。
【００１２】
したがって、開方向操作手段によって係止手段を広げ、閉方向操作手段によって係止手段を閉じることができる。係止手段がヘッドとの間に清掃シートを挟み込んだ状態で、ロック手段によって係止手段をロックすることで、清掃シートの外れを防止することができる。
【発明の効果】
【００１３】
本発明によれば、床に清掃シートを広げて置いておくことで、その後は清掃シートやヘッドに触れずに清掃シートをヘッドの底面にワンタッチで取り付けることができる。
【図面の簡単な説明】
【００１４】
【図１】本発明の清掃具の実施形態の一例を示し、（Ａ）は左右の係止手段を開いた状態の斜視図、（Ｂ）は左右の係止手段を閉じた状態の斜視図である。
【図２】図１の清掃具のヘッドを拡大して示し、(Ａ）は左右の係止手段を開いた状態の斜視図、（Ｂ）は左右の係止手段を閉じた状態の斜視図である。
【図３】（Ａ）は図２（Ａ）のＡ−Ａ線に沿う断面図、（Ｂ）は図２（Ｂ）のＢ−Ｂ線に沿う断面図である。
【図４】係止手段を取り付けた状態の蓋状部材の内側面を示す図である。
【図５】図３の楕円Ｖで示す部位の拡大図である。
【図６】図４の楕円ＶＩで示す部位の拡大図である。
【図７】ロック手段を示し、（Ａ）はロックを解除した状態の断面図、（Ｂ）はロックしている状態の断面図である。
【図８】図１（Ａ）のＶＩＩＩ−ＶＩＩＩ線に沿う断面図である。
【図９】図１（Ｂ）のＩＸ−ＩＸ線に沿う断面図である。
【図１０】図１（Ａ）のＸ−Ｘ線に沿う断面図である。
【図１１】図１（Ｂ）のＸＩ−ＸＩ線に沿う断面図である。
【図１２】図１１のＸＩＩ−ＸＩＩ線に沿う断面図である。
【図１３】第１の連結部材が連結ピンとフラップとを連結する様子を示す概念図である。
【図１４】第２の連結部材が連結ピンとロックレバーの基端とを連結する様子を示す概念図である。
【図１５】ヘッドに清掃シートを取り付ける様子を説明するための図で、（Ａ）は左右の係止手段を開いた状態の側面図、（Ｂ）はヘッドを清掃シートの上に置いた状態の側面図、（Ｃ）は左右の係止手段を閉じて清掃シートを取り付けた様子を示す側面図である。
【図１６】従来の清掃具のヘッドの平面図である。
【発明を実施するための形態】
【００１５】
次に、本発明に係る清掃具の実施形態の一例について、図面を参照しながら説明する。図１〜図１５に、本発明に係る清掃具を示す。清掃具１は、柄２の下端に設けられたヘッド３の底面に当該底面よりも大きな清掃シート９が交換可能に取り付けられるもので、ヘッド３の上面に設けられ、開状態ではヘッド３から側方に広がり、閉状態ではヘッド３の上に折り畳まれる係止手段４と、係止手段４を開閉させる操作手段５を備えている。
【００１６】
柄２は、使用時にユーザーが握る本体部２ａと、本体部２ａの下端に連結されたベースパイプ２ｂとを備えている。本実施形態では、２本のパイプ２ｃ，２ｃを連結することで本体部２ａが構成されている。ベースパイプ２ｂはその内周面に嵌め込まれた補強スリーブ２ｄによって補強されている。ベースパイプ２ｂ及び補強スリーブ２ｄには閉方向操作手段１２が取り付けられている。
【００１７】
ヘッド３は、細長い矩形状を成す底板３ａと、底板３ａに被せられた蓋状部材３ｂとを備え、内部に空間が設けられている。蓋状部材３ｂの内面には複数のリブ３ｃが設けられている。蓋状部材３ｂの上面の中央位置には後述する第１の連結部材１６及び第２の連結部材１７を通す孔３ｄが設けられていると共に、柄２を連結するためのジョイント６が孔３ｄを跨ぐようにして設けられている。また、蓋状部材３ｂの左右両側には、第１の連結部材１６を引き出すための孔３ｅが設けられている。
【００１８】
係止手段４は、ヘッド３の上面に回動可能に取り付けられたアーム７と、アーム７に回動可能に取り付けられたフラップ８と、フラップ８の底面に設けられ、清掃シート９を引っ掛ける引っ掛け部材１０を備えている。フラップ８はほぼ矩形状を成しており、ヘッド３の側方に突出する先端８ａの長さＬ１は清掃シート９の縦方向の長さＬ２とほぼ同じ長さに設定されている（図３（Ａ））。係止手段４は、ジョイント６を挟んで左右に設けられている。
【００１９】
引っ掛け部材１０はフラップ８の先端８ａの底面に設けられている。引っ掛け部材１０はフラップ８の底面に取り付けられるベース板１０ａとベース板１０ａに下向きに設けられた多数の突起１０ｂより構成され、これらは例えば樹脂によって一体成形されている。本実施形態では、突起１０ｂを円状に並べてグループを形成し、そのグループを一列に並べるように配置している。突起１０ｂは弾力性を有しており、清掃シート９を構成する繊維の間に入り込んで引っ掛かる。したがって、フラップ８が移動すると、清掃シート９も一緒に移動する。左右のフラップ８を広げた係止手段４の開状態において、左右のフラップ８の先端８ａの間隔Ｌ３は清掃シート９の横方向の長さＬ４とほぼ同じ長さに設定されている（図３（Ａ））。
【００２０】
操作手段５は、係止手段４を開く方向に操作する開方向操作手段１１と、係止手段４を閉じる方向に操作する閉方向操作手段１２と、係止手段４を閉状態に保持するロック手段１３を備えている。
【００２１】
開方向操作手段１１は、第１の弾性部材１１ａと第２の弾性部材１１ｂとを備えている。第１の弾性部材１１ａはヘッド３にアーム７を回動自在に連結するシャフト１４と同軸上に設けられており、アーム７を開く方向に常時付勢している。また、第２の弾性部材１１ｂはアーム７にフラップ８を回動自在に連結するシャフト１５と同軸上に設けられており、フラップ８を開く方向に常時付勢している。したがって、開方向操作手段１１は係止手段４を開く方向に常時付勢している。第１の弾性部材１１ａおよび第２の弾性部材１１ｂは、例えばトーションスプリングによって構成されている。
【００２２】
閉方向操作手段１２は、柄２のベースパイプ２ｂの外周面にスライド可能に設けられた操作スリーブ１８と、ベースパイプ２ｂの内周面に嵌め込まれた補強スリーブ２ｄ内に設けられ、操作スリーブ１８と一体的に移動するインナスリーブ１９と、インナスリーブ１９の動きを係止手段４に伝える第１の連結部材１６とを備えている。
【００２３】
インナスリーブ１９の外周面の上端近傍位置には、前方に突出する凸部１９ａと後方に突出する凸部１９ｂが設けられている。各凸部１９ａ，１９ｂは、ベースパイプ２ｂに設けられたスリット２０と補強スリーブ２ｄに設けられたスリット２１を通って操作スリーブ１８の孔１８ａ，１８ｂに嵌め込まれている。凸部１９ａ，１９ｂによって操作スリーブ１８とインナスリーブ１９とが連結されるので、操作スリーブ１８とインナスリーブ１９は一体的に移動する。スリット２０，２１はベースパイプ２ｂ及び補強スリーブ２ｄの軸方向、即ち図１の状態で上下方向に細長く形成されており、凸部１９ａ，１９ｂがスリット２０，２１内を移動できる範囲で操作スリーブ１８及びインナスリーブ１９がベースパイプ２ｂ及び補強スリーブ２ｄに対してスライド可能になっている。また、凸部１９ａ，１９ｂがスリット２０，２１を通り抜けているので、操作スリーブ１８及びインナスリーブ１９はベースパイプ２ｂ及び補強スリーブ２ｄに対して周方向に回転できない構造になっている。
また、インナスリーブ１９の内周面の下端近傍位置には連結ピン１９ｃが設けられている。
【００２４】
第１の連結部材１６は、例えば紐やワイヤ等の柔軟性を有し且つ伸縮し難い線状部材であり、インナスリーブ１９の内部空間とヘッド３の内部空間を通って連結ピン１９ｃとフラップ８とを連結している。即ち、第１の連結部材１６の一端は連結ピン１９ｃに接続されている。また、第１の連結部材１６の他端はヘッド３の蓋状部材３ｂの孔３ｅからヘッド３の外側に引き出されてフラップ８に接続されている。係止手段４は２つ設けられているので、第１の連結部材１６も２本設けられており、左右の係止手段４のフラップ８を１本の連結ピン１９ｃに連結している。なお、図８〜図１１には第１の連結部材１６の記載を省略している。
【００２５】
ロック手段１３は、ヘッド３内に設けられ、係止手段４のアーム７を係止するロックレバー２２と、インナスリーブ１９の動きをロックレバー２２に伝える第２の連結部材１７とを備えている。ロックレバー２２はヘッド３の底板３ａに回動自在に取り付けられており、その基端２２ａを蓋状部材３ｂの孔３ｄの近傍に配置させている。また、ロックレバー２２の先端には爪２２ｂが設けられている。本実施形態では、爪２２ｂを２つ設けている。各爪２２ｂは蓋状部材３ｂに設けられた孔から外に突出してアーム７の孔７ａ，７ａの縁に引っ掛かることでアーム７を係止可能になっている。係止手段４はヘッド３の左右に設けられているので、ロックレバー２２もヘッド３の左右に設けられている。ロックレバー２２は、図示しないリターンスプリングによって爪２２ｂをアーム７の孔７ａ，７ａの縁に引っ掛ける方向に常時付勢されている。
【００２６】
第２の連結部材１７は、例えば紐やワイヤ等の柔軟性を有し且つ伸縮し難い線状部材であり、インナスリーブ１９の内部空間、補強スリーブ２ｄの内部空間、ヘッド３の内部空間を通って連結ピン１９ｃとロックレバー２２とを連結している。第２の連結部材１７は補強スリーブ２ｄの内周面に設けられた円柱部２ｅの上を通って連結ピン１９ｃとロックレバー２２の基端２２ａとを連結している。円柱部２ｅは連結ピン１９ｃよりも柄２の上端側の位置に設けられているので、連結ピン１９ｃが下に移動すると、第２の連結部材１７によってロックレバー２２の基端２２ａが引き上げられ、連結ピン１９ｃが上に移動すると、第２の連結部材１７による張力が緩んでロックレバー２２のリターンスプリングによる揺動、即ちロックレバー２２の基端２２aの下降が可能になる。なお、図８〜図１１には第２の連結部材１７の記載を省略している。
【００２７】
次に、係止手段４の開閉操作について説明する。
閉方向操作手段１２の操作スリーブ１８を図１（Ａ），図８，図１０に示すロック解除位置にスライドさせると、ロック手段１３の第２の連結部材１７がロックレバー２２を揺動させるので、爪２２ｂがアーム７から外れる（ロック解除）。同時に、左右の係止手段４のフラップ８を清掃具１側に引っ張っていた第１の連結部材１６の張力が緩むので、開方向操作手段１１の第１の弾性部材１１ａおよび第２の弾性部材１１ｂの付勢力によって係止手段４が開かれる。
【００２８】
一方、操作スリーブ１８を図１（Ｂ），図９，図１１に示すロック位置にスライドさせると、第１の連結部材１６によって左右の係止手段４のフラップ８がヘッド３側に引き寄せられ、左右の係止手段４が折り畳まれる。同時に、第２の連結部材１７が緩んでロックレバー２２の揺動が可能になるので、図示しないリターンスプリングによってロックレバー２２が揺動され、爪２２ｂがアーム７を係止する。これにより、左右の係止手段４が閉じた状態にロックされる。
【００２９】
このように、操作スリーブ１８をスライドさせることで、係止手段４を開閉させることができる。
【００３０】
次に、清掃シート９のヘッド３への取り付けについて説明する。本発明の清掃具１では、ヘッド３が清掃シート９の上に載せられた状態で操作手段５によって係止手段４が開状態から閉状態に動かされると、係止手段４は清掃シート９のヘッド３からのはみ出し部分９ａを引っ掛けてヘッド３上に移動させて係止することができる。つまり、清掃具１のユーザーは、床に清掃シート９を広げて置いておくことで、その後は清掃シート９やヘッド３に触れずに清掃シート９をヘッド３の底面に取り付けることができる。
【００３１】
閉方向操作手段１２の操作スリーブ１８をロック解除位置にスライドさせると、ロック手段１３の第２の連結部材１７がロックレバー２２を揺動させる。これにより爪２２ｂがアーム７から外れ（ロック解除）、開方向操作手段１１によって係止手段４が開かれる。
【００３２】
この状態で、床に広げた清掃シート９の上に清掃具１を載せると、フラップ８の底面に設けられた引っ掛け部材１０が、清掃シート９のヘッド３から側方にはみ出した部分（はみ出し部分）９ａを引っ掛ける（図１５（Ｂ））。このとき、ヘッド３を清掃シート９に載せることでフラップ８は図１５（Ａ）に示す状体からが閉じる方向に若干戻されるので、開方向操作手段１１の第１の弾性部材１１ａと第２の弾性部材１１ｂの付勢力によって引っ掛け部材１０は清掃シート９に強く押し付けられる。したがって、引っ掛け部材１０は清掃シート９をしっかりと引っ掛ける。
【００３３】
この状態で、ユーザーが閉方向操作手段１２の操作スリーブ１８を上にスライドさせると、第１の連結部材１６によって左右のフラップ８がヘッド３側に引き寄せられ、左右の係止手段４が折り畳まれる（閉状態）。このとき、左右のフラップ８は第２の弾性部材１１ｂによって開く方向、即ち床に向けて付勢されているので、左右のフラップ８は清掃シート９を床との間に挟みながら床上を滑らせてヘッド３側に寄せ、更に、ヘッド３の蓋状部材３ｂ上に乗り上げさせて移動させる。この動きによって、清掃シート９のはみ出し部分９ａはヘッド３上に移される。そして、左右の係止手段４が折り畳まれると、清掃シート９のはみ出し部分９ａはフラップ８とアーム７との間にしっかりと挟み込まれる（図１５（Ｃ））。すなわち、係止手段４が清掃シート９のはみ出し部分９ａを係止する。これにより、清掃シート９がヘッド３に取り付けられる。
【００３４】
左右の係止手段４が閉状態となり、操作スリーブ１８がロック位置までスライドされると、清掃シート９が係止手段４とヘッド３との間にしっかりと挟み込まれる。同時に、ロックレバー２２がアーム７を係止する。これにより、係止手段４がロックされ、ユーザーが操作スリーブ１８から手を離しても、左右の係止手段４が清掃シート９のはみ出し部分９ａを挟み込んでいる状態が維持される。この状態でユーザーは清掃具１を使用して清掃を行うことができる。
【００３５】
使用後の清掃シート９を交換する場合には、操作スリーブ１８を下げて係止手段４のロックを解除すれば良い。ユーザーが操作スリーブ１８を下げると、第２の連結部材１７がロックレバー２２を揺動させて爪２２ｂをアーム７から外す。これにより、開方向操作手段１１の付勢力によって左右の係止手段４が開き、清掃シート９のはみ出し部分９ａを解放するので、清掃シート９を取り外して交換することができる。例えば、ヘッド３を図示しないごみ箱の上に移動させた状態で操作スリーブ１８をロック解除位置にスライドさせれば、使用後の清掃シート９をごみ箱内に落とすことができ、使用後の清掃シート９に触れずにそのまま廃棄することができる。
【００３６】
このように、本発明の清掃具１では、清掃シート９やヘッド３に触れずに当該清掃シート９を交換することができる。そのため、清掃シート９の交換がきわめて簡単であり、しかも衛生的である。
【００３７】
なお、上述の実施形態は本発明を実施する際の好適な形態の一例であるがこれに限るものではなく、本発明の要旨を逸脱しない範囲において種々変形実施可能である。
例えば、上述の説明では、フラップ８とアーム７との間に清掃シート９のはみ出し部分９ａを挟み込むことで係止手段４が清掃シート９のはみ出し部分９ａを係止するようにしていたが、係止手段４のフラップ８とヘッド３との間、あるいはアーム７とヘッド３との間に清掃シート９のはみ出し部分９ａを挟み込むようにしても良い。これらの場合にも清掃シート９をしっかりとヘッド３に取り付けることができる。
【産業上の利用可能性】
【００３８】
本発明は、柄の下端のヘッドに使い捨ての清掃シートを取り付ける清掃具に利用できる。
【符号の説明】
【００３９】
１  清掃具
２  柄
３  ヘッド
４  係止手段
５  操作手段
７  アーム
８  フラップ
９  清掃シート
９ａ  清掃シートのヘッドからのはみ出し部分
１０  引っ掛け部材
１１  開方向操作手段
１２  閉方向操作手段
１３  ロック手段
【要約】      （修正有）【課題】使い捨ての清掃シートの交換を容易にし、かつ清掃シートに直接触れずに交換可能にする。【解決手段】柄２の下端に設けられたヘッド３の底面に当該底面よりも大きな清掃シート９が交換可能に取り付けられる清掃具であって、ヘッド３の上面に設けられ、開状態ではヘッド３から側方に広がり、閉状態ではヘッド３の上に折り畳まれる係止手段４と、係止手段４を開閉させる操作手段とを備えている。係止手段４は左右一対設けられており、ヘッド３が清掃シート９の上に載せられた状態で操作手段によって係止手段４が開状態から閉状態に動かされると、係止手段４は清掃シート９のヘッド３からのはみ出し部分９ａを引っ掛けてヘッド３上に移動させて係止する構成である。【選択図】図１５【図１】
0006917086.tif 000002
【図２】
0006917086.tif 000003
【図３】
0006917086.tif 000004
【図４】
0006917086.tif 000005
【図５】
0006917086.tif 000006
【図６】
0006917086.tif 000007
【図７】
0006917086.tif 000008
【図８】
0006917086.tif 000009
【図９】
0006917086.tif 000010
【図１０】
0006917086.tif 000011
【図１１】
0006917086.tif 000012
【図１２】
0006917086.tif 000013
【図１３】
0006917086.tif 000014
【図１４】
0006917086.tif 000015
【図１５】
0006917086.tif 000016
【図１６】
0006917086.tif 000017